【事件の表示】
　平成　７年特許願第３２４５４６号「多重放送システムとこのシステムで使用される放送受信装置」拒絶査定に対する審判事件［平成　９年　６月２０日出願公開、特開平　９−１６２８２１］について、次のとおり審決する。
【結　論】
　
　本件審判の請求は、成り立たない。
【理　由】
　
１．手続の経緯　
　
　本願は、平成７年１２月１３日の出願であって、平成１３年１２月６日付で拒絶の理由が通知され、平成１４年２月１２日付で手続補正（以下、手続補正１という。）がなされたものの、平成１４年３月１９日付けで拒絶の査定がなされた。　
　その後、平成１４年４月２５日に拒絶査定不服審判請求がなされ、平成１４年５月２４日付で手続補正（以下、手続補正２という。）がなされたものである。　
　
２．手続補正２についての補正却下の決定　
　
［補正却下の決定の結論］　
　平成１４年５月２４日付の手続補正を却下する。　
　
［理由］
　
（１）本件手続補正　
　
　上記手続補正２による補正事項は、　
　
（ア）特許請求の範囲の欄　
「【特許請求の範囲】　
　　【請求項１】　送信側で複数の番組を多重して放送し、受信側で前記送信側から送られた多重放送信号を受信してこの放送信号に多重されている複数の番組の中から所望の番組を選択して再生出力する多重放送システムにおいて、　
　前記送信側は、　
　　前記番組について、当該番組と所定の関係性を有する他の番組との対応関係を表しかつこの他の番組をアイコンにより表したリンク情報を発生する手段と、　
　　前記アイコンのモニタ画面上における表示位置を指定する情報を発生する手段と、　
　　前記発生されたリンク情報および前記表示位置を指定する情報を多重放送信号に多重して送信する手段とを備え、　
　前記受信側は、　
　　前記送信側から送られた多重放送信号に多重されている複数の番組の中から所望の番組を選択して再生出力する手段と、　
　　当該選択した番組に対応するリンク情報およびアイコンの表示位置を指定する情報を前記多重放送信号から抽出し、この抽出したリンク情報のアイコンを前記表示位置の指定情報に従いモニタ画面上に表示する手段と、　
　　この表示されたリンク情報に基づく番組の変更要求が入力された場合に、この変更要求および前記提示中のリンク情報に基づいて、再生出力する番組の変更を行う手段とを備えたことを特徴とする多重放送システム。　
　　【請求項２】　送信側は、周波数の異なる複数の放送チャネルを使用してそれぞれ複数の番組を多重して送信する場合に、前記番組のリンク情報にそのリンク先の番組を表すアイコンと共に当該番組の放送チャネルを表す情報を含めて送信すると共に、前記アイコンの表示位置を指定する情報を送信し、　
　受信側は、送信側から送られたリンク情報に含まれるアイコンを、前記表示位置を指定する情報に従いモニタ画面上に表示すると共に、この表示されたアイコンに基づき他の放送チャネルの番組への変更要求が入力された場合に、リンク情報に含まれる放送チャネルを表す情報に基づいて放送チャネルの受信切り替えを行うことを特徴とする請求項１記載の多重放送システム。
　　【請求項３】　送信側は、リンク情報に、当該番組のリンク先となる他の放送番組を表す第１のアイコンと、コンピュータネットワークに接続された情報供給源が提供するデータを表す第２のアイコンとをそれぞれ含めて送信すると共に、これら第１及び第２のアイコンの表示位置を指定する情報を送信し、　
　受信側は、送信側から送られたリンク情報に含まれる第１及び第２のアイコンを、前記表示位置を指定する情報に従いモニタ画面上に表示すると共に、この表示されたアイコンに基づき前記コンピュータネットワークに接続された情報供給源が提供するデータへの変更要求が入力された場合に、この変更要求及びリンク情報に基づいて、前記コンピュータネットワークの情報供給源に対しアクセスを行って該当するデータを受信し、この受信データを出力することを特徴とする請求項１記載の多重放送システム。　
　　【請求項４】　送信側は、リンク情報に、当該番組のリンク先となる他の放送番組を表す第１のアイコンと、コンピュータネットワークに接続された情報供給源が提供するデータを表す第２のアイコンとをそれぞれ含めて送信すると共に、これら第１及び第２のアイコンの表示位置を指定する情報を送信し、　
　受信側は、前記送信側から送られたリンク情報に含まれる第１のアイコンと第２のアイコンとを、前記表示位置の指定情報により指定される位置で、かつ表示形態を相互に異ならせて表示することを特徴とする請求項３記載の多重放送システム。　
　　【請求項５】　送信側で複数の番組を多重して放送し、受信側で前記送信側から送られた多重放送信号を受信してこの放送信号に多重されている複数の番組の中から所望の番組を選択して再生出力する多重放送システムで、前記送信側として使用される放送送信装置において、　
　前記番組について、当該番組と所定の関係性を有する他の番組との対応関係を表しかつこの他の番組をアイコンにより表したリンク情報を発生する手段と、　
　前記アイコンのモニタ画面上における表示位置を指定する情報を発生する手段と、　
　前記発生されたリンク情報および前記表示位置を指定する情報を多重放送信号に多重して送信する手段とを具備したことを特徴とする放送送信装置。
　　【請求項６】　送信側において、複数の番組を多重すると共に、当該番組と所定の関係性を有する他の番組との対応関係を表しかつこの他の番組をアイコンにより表したリンク情報と、上記アイコンのモニタ画面上における表示位置を指定する情報とを含めた多重放送信号を放送し、受信側で前記送信側から送られた多重放送信号を受信してこの放送信号に多重されている複数の番組の中から所望の番組を選択して再生出力する多重放送システムで、前記受信側として使用される前記放送受信装置において、　
　前記送信側から送られた多重放送信号に多重されている複数の番組の中から所望の番組を選択して再生出力する手段と、　
　当該選択した番組に対応付けられたリンク情報と、このリンク情報に含まれるアイコンの表示位置を指定する情報とを前記多重放送信号から抽出し、この抽出したリンク情報のアイコンを前記表示位置の指定情報に従いモニタ画面上に表示する手段と、　
　この表示されたリンク情報に基づく番組の変更要求が入力された場合に、この変更要求および前記リンク情報に基づいて、再生出力する番組の変更を行う手段とを備えたことを特徴とする放送受信装置。」を、　
「【特許請求の範囲】　
　【請求項１】　
　送信側で複数の番組を多重して放送し、受信側で前記送信側から送られた多重放送信号を受信してこの放送信号に多重されている複数の番組の中から所望の番組を選択して再生出力する多重放送システムにおいて、　
　前記送信側は、　
　前記番組とこの番組に対し所定の関連性を有するコンピュータネットワークに接続された情報供給源が提供するデータへアクセスするためのリンク情報とを発生すると共に、この発生したリンク情報を前記番組に多重した多重信号を送信し、　
　前記受信側は、　
　前記送信側から送られた前記多重信号から前記番組を再生する番組再生手段と、　
　前記送信側から送られた前記多重信号から前記リンク情報に基づいて前記コンピュータネットワークに接続された情報供給源が提供するデータを受信するデータ受信手段と、　
　前記データ受信手段により受信されたデータによるビデオ信号の背景画面を透明化処理する透明化処理手段と、　
　前記透明化処理手段により前記透明化処理された前記ビデオ信号と前記番組再生手段から再生された前記番組とを多重してモニタへ出力する出力手段とを備えたことを特徴とする多重放送システム。　
　【請求項２】　
　番組とこの番組に対し所定の関連性を有するコンピュータネットワークに接続された情報供給源が提供するデータへアクセスするためのリンク情報とを発生すると共に、この発生したリンク情報を前記番組に多重した多重信号が入力される入力端と、　
　前記入力端に入力された前記多重信号から前記番組を再生する番組再生手段と、　
　前記入力端に入力された前記多重信号から前記リンク情報に基づいて前記コンピュータネットワークに接続された情報供給源が提供するデータを受信するデータ受信手段と、　
　前記データ受信手段により受信されたデータによるビデオ信号の背景画面を透明化処理する透明化処理手段と、　
　前記透明化処理手段により前記透明化処理された前記ビデオ信号と前記番組再生手段から再生された前記番組とを多重してモニタへ出力する出力手段とを備えたことを特徴とする放送受信装置。」とし、　
　
（イ）本願明細書の第０００１段落　
「【０００１】　
　　【産業上の利用分野】　
　この発明は、無線地上波、放送衛星または通信衛星、ＣＡＴＶ網、コンピュータネットワーク等の通信網を利用した放送システムに係わり、特に送信側で複数の番組を多重して放送し、受信側で送信側から送られた放送信号を受信してこの放送信号に多重されている複数の番組の中から所望の番組を選択して再生出力する多重放送システムとこのシステムで使用される放送送信装置および放送受信装置に関する。」を、　
「 【０００１】　
　【産業上の利用分野】　
　この発明は、無線地上波、放送衛星または通信衛星、ＣＡＴＶ網、コンピュータネットワーク等の通信網を利用した放送システムに係わり、特に送信側で複数の番組を多重して放送し、受信側で放送側から送られた放送信号を受信してこの放送信号に多重されている複数の番組の中から所望の番組を選択して再生出力する多重放送システムとこのシステムで使用される放送受信装置に関する。」とし、　
　
（ウ）本願明細書の第００１３段落　
「【００１３】　
　この発明は上記事情に着目してなされたもので、その目的とするところは、視聴中の番組に関連する他の番組を試聴しようとする場合の番組の選択指定を簡単かつ迅速にしかも適確に行なえるようにし、これによりユーザの番組選択操作性の向上を図り得る多重放送システムとその放送送信装置および放送受信装置を提供することにある。」を、　
「【００１３】　
　この発明は上記事情に着目してなされたもので、その目的とするところは、視聴中の番組に関連する他の番組を視聴しようとする場合の選択指定を簡単かつ迅速にしかも適格に行なえるようにし、これによりユーザの番組選択操作性の向上を図り得る多重放送システムとこのシステムで使用される放送受信装置を提供することにある。」とし、　
　
（エ）本願明細書の第００１４段落　
「【００１４】　
　　【課題を解決するための手段】　
　上記目的を達成するためにこの発明は、送信側において、番組について当該番組と所定の関係性を有する他の番組との対応関係を表しかつこの他の番組をアイコンにより表したリンク情報を発生すると共に、上記アイコンのモニタ画面上における表示位置を指定する情報を発生し、この発生されたリンク情報および表示位置を指定する情報を当該番組に多重して送信する。そして受信側においては、　
上記送信側から送られた多重放送信号に多重されている複数の番組の中から所望の番組を選択して再生出力すると共に、当該選択した番組に対応するリンク情報およびアイコンの表示位置を指定する情報を前記多重放送信号から抽出し、この抽出したリンク情報のアイコンを前記表示位置の指定情報に従いモニタ画面上に表示し、この表示されたリンク情報に基づく番組の変更要求が入力された場合に、この変更要求および前記提示中のリンク情報に基づいて、再生出力する番組の変更を行うようにしたものである。」を、　
「【００１４】　
　【課題を解決するための手段】　
　上記目的を達成するためにこの発明は送信側で複数の番組を多重して放送し、受信側で前記送信側から送られた多重放送信号を受信してこの放送信号に多重されている複数の番組の中から所望の番組を選択して再生出力する多重放送システムにおいて、前記送信側は、前記番組とこの番組に対し所定の関連性を有するコンピュータネットワークに接続された情報供給源が提供するデータへアクセスするためのリンク情報とを発生すると共に、この発生したリンク情報を前記番組に多重した多重信号を送信し、前記受信側は、前記送信側から送られた前記多重信号から前記番組を再生する番組再生手段と、前記送信側から送られた前記多重信号から前記リンク情報に基づいて前記コンピュータネットワークに接続された情報供給源が提供するデータを受信するデータ受信手段と、前記データ受信手段により受信されたデータに応じたビデオ信号の背景画面を透明化処理する透明化処理手段と、前記透明化処理手段により前記透明化処理された前記ビデオ信号と前記番組再生手段から再生された前記番組とを多重してモニタへ出力する出力手段とを備えたことを特徴とする。」とし、　
　
（オ）本願明細書の第００７５段落　
「【００７５】　
　　【発明の効果】　
　以上詳述したようにこの発明では、送信側において、番組について当該番組と所定の関係性を有する他の番組との対応関係を表しかつこの他の番組をアイコンにより表したリンク情報を発生すると共に、上記アイコンのモニタ画面上における表示位置を指定する情報を発生し、この発生されたリンク情報および表示位置を指定する情報を当該番組に多重して送信する。そして受信側においては、上記送信側から送られた多重放送信号に多重されている複数の番組の中から所望の番組を選択して再生出力すると共に、当該選択した番組に対応するリンク情報およびアイコンの表示位置を指定する情報を前記多重放送信号から抽出し、この抽出したリンク情報のアイコンを前記表示位置の指定情報に従いモニタ画面上に表示し、この表示されたリンク情報に基づく番組の変更要求が入力された場合に、この変更要求および前記提示中のリンク情報に基づいて、再生出力する番組の変更を行うようにしている。」を、　
「【００７５】　
　【発明の効果】　
　この発明によれば、番組の選択指定を簡単かつ迅速にしかも適格に行なえるようにし、これによりユーザの番組選択性の向上を図り得る多重放送システムとこの多重放送システムに用いられる放送受信装置を提供することができる。」とし、　
　
（カ）本願明細書の第００７６段落　
「【００７６】　
　したがってこの発明によれば、視聴中の番組に関連する他の番組を試聴しようとする場合の番組の選択指定を簡単かつ迅速にしかも適確に行なえるようにし、これによりユーザの番組選択操作性の向上を図り得る多重放送システムとその放送送信装置および放送受信装置を提供することができる。」を削除するものである。　
　
（２）手続補正についての判断　
　
（ｉ）補正事項（ア）に係る補正後の請求項１について　
　
　補正後の請求項１は、多重放送システムであり、補正前の請求項のうち多重放送システムである請求項は、請求項１〜４である。　
　補正前の請求項２は、補正前の請求項１の多重放送システムを「送信側は、周波数の異なる複数の放送チャネルを使用してそれぞれ複数の番組を多重して送信する」ものであって、「前記番組のリンク情報に・・・当該番組の放送チャネルを表す情報を含めて送信する」ものであり、「受信側は、・・・この表示されたアイコンに基づき他の放送チャネルの番組への変更要求が入力された場合に、リンク情報に含まれる放送チャネルを表す情報に基づいて放送チャネルの受信切り替えを行う」ものであると特定するものであるが、補正後の請求項１には当該特定事項である放送チャネルに関する記載はなく、補正前の請求項２は手続補正２により削除されたものと認められる。　
　補正前の請求項４は、補正前の請求項３の第１のアイコンと第２のアイコンの表示を「表示形態を相互に異ならせて表示する」と特定するものであるが、補正後の請求項１には当該特定事項である表示形態に関する記載がなく、補正前の請求項４は手続補正２により削除されたものと認められる。
　
　そこで、補正後の請求項１と、補正前の請求項１又は請求項３とをそれぞれ対比し検討する。　
　
（補正後の請求項１と補正前の請求項１との対比）　
　補正後の請求項１と補正前の請求項１を対比すると、補正後の請求項１においては、補正前の請求項１に記載されていた、リンク情報が、番組と所定の関係性を有する他の番組との対応関係を表しているだけでなく、他の番組をアイコンにより表した情報であること、送信側におけるアイコンのモニタ画面上における表示位置を指定する情報を発生する手段、リンク情報に加えて表示位置を指定する情報を多重放送信号に多重して送信すること、受信側の送信側から送られた多重放送信号に多重されている複数の番組の中から所望の番組を選択して再生出力する手段、リンク情報に加えて選択した番組に対応するアイコンの表示位置を指定する情報を前記多重放送信号から抽出し、この抽出したリンク情報のアイコンを前記表示位置の指定情報に従いモニタ画面上に表示する手段、この表示されたリンク情報に基づく番組の変更要求が入力された場合に、この変更要求および提示中のリンク情報に基づいて、再生出力する番組の変更を行う手段が、手続補正２により、いずれも削除されており、前記補正は、直列的に記載された発明特定事項の一部の削除に該当し、特許請求の範囲の減縮を目的とするものとは認められない。　
　
（補正後の請求項１と補正前の請求項３との対比）　
　補正後の請求項１と補正前の請求項３を対比すると、補正後の請求項１においては、補正前の請求項３に記載されていた、送信側が、リンク情報に、当該番組のリンク先となる他の放送番組を表す第１のアイコンと、コンピュータネットワークに接続された情報供給源が提供するデータを表す第２のアイコンとをそれぞれ含めて送信すると共に、これら第１及び第２のアイコンの表示位置を指定する情報を送信すること、受信側が、送信側から送られたリンク情報に含まれる第１及び第２のアイコンを、表示位置を指定する情報に従いモニタ画面上に表示すると共に、この表示されたアイコンに基づきコンピュータネットワークに接続された情報供給源が提供するデータへの変更要求が入力されることが、手続補正２により、いずれも削除されており、前記補正は、直列的に記載された発明特定事項の一部の削除に該当し、特許請求の範囲の減縮を目的とするものとは認められない。　
　
　以上のとおりであるから、補正後の請求項１に関する手続補正２による補正は、特許請求の範囲の減縮を目的とするものとは認められず、かつ、請求項の削除、誤記の訂正、明りようでない記載の釈明のいずれを目的とするものとも認められない。　
　
（ｉｉ）補正事項（ア）に係る補正後の請求項２について　
　
　補正後の請求項２は、放送受信装置であるから、補正前の請求項６の放送受信装置に対応するものであると認められる。　
　そこで、補正後の請求項２と補正前の請求項６を対比すると、補正後の請求項２においては、補正前の請求項６に記載されていた、リンク情報が、複数の番組と所定の関係性を有する他の番組との対応関係を表しているだけでなく、他の番組をアイコンにより表したリンク情報であること、送信側が、アイコンのモニタ画面上における表示位置を指定する情報とを含めた多重放送信号を放送すること、受信側で送信側から送られた多重放送信号を受信してこの放送信号に多重されている複数の番組の中から所望の番組を選択して再生出力すること及びその手段、当該選択した番組に対応付けられたリンク情報と、このリンク情報に含まれるアイコンの表示位置を指定する情報とを多重放送信号から抽出し、この抽出したリンク情報のアイコンを表示位置の指定情報に従いモニタ画面上に表示する手段、この表示されたリンク情報に基づく番組の変更要求が入力された場合に、この変更要求およびリンク情報に基づいて、再生出力する番組の変更を行う手段が、手続補正２により、いずれも削除されており、当該補正は、直列的に記載された発明特定事項の一部の削除に該当し、特許請求の範囲の減縮を目的とするものとは認めらない。　
　以上のとおりであるから、補正後の請求項２に関する手続補正２による補正は、特許請求の範囲の減縮を目的とするものとは認められず、かつ、請求項の削除、誤記の訂正、明りようでない記載の釈明のいずれを目的とするものとも認められない。　
　
（ｉｉｉ）むすび　
　
　以上のとおり、上記手続補正２は、特許法第１７条の２第４項に規定する要件を満たしておらず、同第１５９条第１項で準用する同第５３条第１項の規定により却下すべきものである。　
　
３．特許法第２９条２項について　
　
（１）本願発明　
　
　上記手続補正２は、上記のとおり却下されたので、本願の請求項１に係る発明（以下、本願発明という。）は、上記手続補正１により補正された特許請求の範囲請求項１に記載された次のとおりのものと認める。　
　
「　【請求項１】　送信側で複数の番組を多重して放送し、受信側で前記送信側から送られた多重放送信号を受信してこの放送信号に多重されている複数の番組の中から所望の番組を選択して再生出力する多重放送システムにおいて、　
　前記送信側は、　
　　前記番組について、当該番組と所定の関係性を有する他の番組との対応関係を表しかつこの他の番組をアイコンにより表したリンク情報を発生する手段と、　
　　前記アイコンのモニタ画面上における表示位置を指定する情報を発生する手段と、　
　　前記発生されたリンク情報および前記表示位置を指定する情報を多重放送信号に多重して送信する手段とを備え、　
　前記受信側は、　
　　前記送信側から送られた多重放送信号に多重されている複数の番組の中から所望の番組を選択して再生出力する手段と、　
　　当該選択した番組に対応するリンク情報およびアイコンの表示位置を指定する情報を前記多重放送信号から抽出し、この抽出したリンク情報のアイコンを前記表示位置の指定情報に従いモニタ画面上に表示する手段と、　
　　この表示されたリンク情報に基づく番組の変更要求が入力された場合に、この変更要求および前記提示中のリンク情報に基づいて、再生出力する番組の変更を行う手段とを備えたことを特徴とする多重放送システム。」　
　
（２）引用例　
　
（引用例１）　
　本願出願前に頒布された刊行物である　加井謙二郎、妹尾宏、磯部忠著、「マルチメディア情報放送サービスにおけるナビゲーション」、情報処理学会研究報告、社団法人情報処理学会、平成７年９月１４日発行、第９５巻，第９０号、９−１６頁（以下、引用例１という。）には、次の事項が記載されている。　
（ア）引用例１の１０頁右欄２０行〜１１頁右欄１５行「（２）システム構成　
　・・・放送局側の機能としては素材の収集、画面を組み立てる編集作業、キーワード、ジャンルなどナビゲーションに必要なインデックスデータの作成、詳細情報へのリンクの設定などである。これらの機能により番組毎のデータは表現メディアデータと構造データ、インデックスデータとしてまとめられる。・・・これらのデータはデータパケット形式に分割され、伝送される。・・・各家庭ではパラボラアンテナを通して衛星放送を受信し、データチャンネルのデータを取り出す。・・・利用者は興味に応じて対話的に視聴する。・・・情報提示には高精細で文字等の表示に優れたハイビジョンモニターを用いる。」（・・・は簡略化のための引用箇所の省略を意味し、以下、同様とする。）及び１１頁図３を勘案すると、引用例１には、放送局で複数の番組を放送し、受信側で放送局から送られた複数の番組の中から所望の番組を選択して再生出力する放送システムにおいて、放送局は、番組について、インデックスデータと構造データを作成して送信し、受信側は、放送局から送られた複数の番組の中から所望の番組を選択して再生出力する表示制御部及びハイビジョンモニターを備えた放送システムが記載されていると認められる。　
（イ）又、引用例１の１３頁左欄１６行〜１９行「（４）関連番組リンク　
　視聴している番組に関連する番組がほかにある場合、その番組のタイトルを示し、容易にジャンプできるようにしている。」、１３頁図４、１４頁１５行〜１８行「番組提示のレベルでは関連番組へのアイコンがある。これにより関連番組へ容易にアクセスできる。また、このレベルでは詳細情報へのアクセスが可能である。」、及び１４頁右欄１行〜５行「５．ナビゲーションデータの構成　
　・・・インデックスデータと構造データは各番組に付加される。選択用データは全番組に対し、一つ作成される。」、１４頁表３、１５頁左欄１行〜右欄２６行「６．情報ナビゲーション用データの制作手法　
（１）インデックスデータ　
　ジャンル／キーワード／関連番組リンクのデータをインデックスデータと呼ぶ。　
　これらはある程度、自動的な処理をめざして検討した。　
　・・・　
　ｃ．関連番組判定　
　関連番組の判定は、同一ジャンルに含まれる番組同士で行う。・・・他の話題も含まれる内容であった。」を勘案すると、引用例１には、さらに、上記インデックスデータが番組と所定の関係性を有する他の番組との対応関係を表す関連番組リンクデータを含み、さらに、関連番組リンクデータは受信側のハイビジョンモニター画面上で番組とともにアイコンで表示され、アイコンにより関連番組にアクセスすることが記載されており、又、上記構造データは論理構造だけでなくレイアウト構造式を含むことが記載されていると認められる。
　又、引用例１の図１あるいは図２を見ると、受信側のハイビジョンモニター画面上に、番組が所定のレイアウトで表示されており、当該レイアウトは、上記レイアウト構造式で規定されているものであると認められる。　
　そして、受信側のハイビジョンモニター画面上における番組のレイアウトは、ハイビジョンモニター画面上における番組あるいは番組の構成要素の表示位置であるから、上記レイアウト構造式は、ハイビジョンモニター画面上における番組の表示位置を指定する情報である。　
（ウ）上記（ア）、（イ）から、引用例１には、　
　放送局で複数の番組を放送し、受信側で放送局から送られた複数の番組の中から所望の番組を選択して再生出力する放送システムにおいて、　
　放送局は、　
　番組について、当該番組と所定の関係性を有する他の番組との対応関係を表す関連番組リンクデータを作成し、　
　ハイビジョンモニター画面上における番組の表示位置を指定する情報を作成し、　
　作成された関連番組リンクデータ及び番組の表示位置を指定する情報を送信し、　
　受信側は、　
　放送局から送られた複数の番組の中から所望の番組を選択して再生出力するとともに、　
　選択した番組に対応する関連番組リンクデータのアイコンをハイビジョンモニター画面上に表示し、　
　この表示された関連番組リンクデータに基づく番組の変更要求が入力された場合に、この変更要求及び提示中の関連番組リンクデータに基づいて、再生出力する番組の変更を行う表示制御部及びハイビジョンモニターを備えた放送システム（以下、引用発明という。）　
が記載されていると認められる。　
　
（引用例２）　
　本願出願前に頒布された刊行物である特開平０７−１０７４４６号公報（以下、引用例２という。）の第００１６段落及び第００１７段落　
「　　【００１６】　
　　【発明が解決しようとする課題】　
　以上のように、主チャンネルとなるテレビジョン番組とともに、それに関連する複数の副チャンネルのテレビジョン番組が同時に放送される放送方式を採用した場合、視聴者が各副チャンネルの番組内容を容易に知ることができないため、選局操作が煩雑になるという問題を有している。
　　　【００１７】　
　そこで、この発明は上記事情を考慮してなされたもので、任意のチャンネルを選局した場合、そのチャンネルの番組に関連する他のチャンネルの番組情報を提供し視聴者の選局操作を容易化することができる極めて良好な関連番組情報供給装置を提供することを目的とする。」、第００２２段落　
「　　【００２２】　
　関連番組情報提供用制御回路３５では、このパルスＴＰ１を受けて、関連チャンネル情報入力回路３６から入力された関連番組チャンネル周波数を示すチャンネル番号と、関連番組内容を現わすタイトルを含む関連チャンネル情報が所定の開始アドレスに設定されたメモリ３７よりそれぞれの番組チャンネルに対応する情報とが読み出され、マルチプレクサ３８によってＶＢＩに挿入される。」、第００３２段落　
「　　【００３２】　
　また、副画面による関連情報を表示しない方法もある。すなわち、図８に示すように、関連番組情報をテキストで表示する窓を設けて、前記同様、所望の関連番組の１つをリモートコントロール操作部２３上のチャンネル上／下キーによって選択し、決定キーによって主画面を関連番組チャンネルのうちの所望した番組に切り替えることもできる。」、図８、第００３７段落〜第００４４段落　
「　　【００３７】　
　・・・それぞれの番組チャンネルａ〜ｅ，ｆ〜ｊに対応する情報が読み出され、マルチプレクサ３８によってＶＢＩに挿入され、それぞれＡ／Ｄ（アナログ／デジタル）変換回路４９1 ，……，４９5 ，５０1 ，５０2 ，……，５０5 及び画像／音声圧縮回路５１1 ，……，５１5 ，５２1 ，５２2 ，……，５２5 を介してデジタル多重・変調回路５３に供給される。　
　　　【００３８】
　デジタル多重・変調回路５３では、供給されたそれぞれの映像及び音声信号を多重して１つのデジタル多重チャンネルとして出力し、それぞれの番組が加入者に供給される。　
　　　【００３９】
　一方、図１０において、リモートコントロール操作部２３からのチャンネル選択指示によって、リモコンＩ／Ｆ２４及び端末動作制御回路２５を通じて、選局制御回路２６に選局指示が伝えられ、番組選択制御回路５４に番組選択指示が伝えられる。この選局指示を受けて選局制御回路２６はチューナ２７を選局動作させ、所望のデジタルチャンネル多重信号を得る。チューナ２７の出力は、復調回路２８を介してベースバンドデジタル多重ビデオ信号に変換され、前記番組選択指示を受けて番組選択制御回路５４より、デマルチプレクサ５５に対してベースバンドデジタル多重ビデオ信号から所望の１つの番組情報を得る動作を行なわせ、デマルチプレクサ５５の出力をデータ伸張及びＤ／Ａ（デジタル／アナログ）変換回路５６に導くことによって元の番組信号を再生する。　
　・・・　
　　　【００４１】　
　データ抽出回路３９では、与えられたクロックＣＫを用いて、データ伸張及びＤ／Ａ変換回路５６から供給されたテレビジョン信号に挿入された関連番組データを抽出し、同時に記憶回路４０に格納する。　
　　　【００４２】　
　記憶回路４０に格納された関連番組データは、端末動作制御回路２５を通じて番組選択制御回路５４に対して順々に供給され、番組選択制御回路５４は、それぞれ与えられた関連番組データに基づいてデマルチプレクサ５７を時分割に切り替え動作させ、データ伸張及びＤ／Ａ変換回路５８を介してベースバンドビデオ信号を得、さらに、副画面表示回路５９により、それぞれ縮小され、マルチプレクサ３０の一方の端子に供給される。　
　　　【００４３】　
　ここで、マルチプレクサ３０には、データ伸張及びＤ／Ａ変換回路５６の出力も供給されており、データ伸張及びＤ／Ａ変換回路５６で選択された番組信号が主画面、及び副画面表示回路５９からの番組信号が副画面となるように切り替えられ、変調回路３１を介してテレビジョン受像機３２にて画像表示される。　
　　　【００４４】　
　この場合にも、視聴者は、テレビジョン画面を見ながら、必要に応じてリモートコントロール操作部２３上の表示キーを操作することによって副画面を表示させ、表示した副画面のうちの所望の関連番組の１つをリモートコントロール操作部２３上の上／下キーによって選択し、決定キーによって主画面を関連番組チャンネルのうちの所望した番組に切り替える動作を瞬時に行なうことができる。なお、表示形態については、図５乃至図８と同様な表示が可能である。・・・」、及び図１１から、　
　引用例２には、視聴者が視聴している番組に関連する他チャンネルの番組を容易に把握し、当該関連番組への切替え操作を容易にすることを目的として、送信側が、周波数の異なる複数の放送チャンネルを使用して番組を多重化して多重放送信号として送信する場合に、当該番組と所定の関係性を有する他の番組との対応関係を表す情報であるタイトル及び放送チャネルを関連番組情報として多重化して多重放送信号として送信し、受信側が、多重放送信号から所望の番組を選択して再生出力し、関連番組情報を多重放送信号から抽出し、当該関連番組情報をテレビジョン受像機上に表示し、この表示された関連番組情報に基づく番組の変更要求が入力された場合に、この変更要求及び提示中の関連番組情報に基づいて、再生出力する番組の変更を行う多重放送システムが記載されていると認められる。　　
　
（３）対比　
　
  本願発明と引用発明を対比する。　
　
（ア）引用発明の「放送局」、「ハイビジョンモニター」は、それぞれ本願発明の「送信側」、「モニタ」に相当する。　
（イ）引用発明の「関連番組リンクデータ」と本願発明「リンク情報」は、当該番組と所定の関係性を有する他の番組との対応関係を表す情報である点では一致し、少なくともその点において両者は対応している。　
（ウ）引用発明の「表示位置を指示する情報」と本願発明の「表示位置を指示する情報」は、受信側のモニタ画面上における表示位置を指定する情報である点では一致し、少なくともその点において両者は対応している。　
（エ）引用発明の「放送局は、番組について、当該番組と所定の関係性を有する他の番組との対応関係を表す関連番組リンクデータを作成」、「ハイビジョンモニター画面上における表示位置を指定する情報を作成」、「作成された関連番組リンクデータ及び表示位置を指定する情報を送信」は、それぞれ本願発明の「前記送信側は、前記番組について、当該番組と所定の関係性を有する他の番組との対応関係を表したリンク情報を発生」、「モニタ画面上における表示位置を指定する情報を発生」、「前記発生されたリンク情報および前記表示位置を指定する情報を送信」に対応している。　
（オ）引用発明の「受信側は、放送局から送られた複数の番組の中から所望の番組を選択して再生出力」、「選択した番組に対応する関連番組リンクデータのアイコンをハイビジョンモニター画面上に表示」、「この表示された関連番組リンクデータに基づく番組の変更要求が入力された場合に、この変更要求及び提示中の関連番組リンクデータに基づいて、再生出力する番組の変更を行う」は、それぞれ本願発明の「受信側は、前記送信側から送られた複数の番組の中から所望の番組を選択して再生出力」、「リンク情報のアイコンをモニタ画面上に表示」、「この表示されたリンク情報に基づく番組の変更要求が入力された場合に、この変更要求および前記提示中のリンク情報に基づいて、再生出力する番組の変更を行う」に対応している。　
　
　したがって、本願発明と引用発明は、　
　送信側で複数の番組を放送し、受信側で前記送信側から送られた複数の番組の中から所望の番組を選択して再生出力する放送システムにおいて、　
　前記送信側は、　
　前記番組について、当該番組と所定の関係性を有する他の番組との対応関係を表したリンク情報を発生する手段と、　
　前記モニタ画面上における表示位置を指定する情報を発生する手段と、　
　前記発生されたリンク情報および前記表示位置を指定する情報を送信する手段とを備え、　
　前記受信側は、　
　　前記送信側から送られた複数の番組の中から所望の番組を選択して再生出力する手段と、　
　リンク情報のアイコンをモニタ画面上に表示する手段と、　
　この表示されたリンク情報に基づく番組の変更要求が入力された場合に、この変更要求および前記提示中のリンク情報に基づいて、再生出力する番組の変更を行う手段とを備えた放送システム
である点で一致し、次の３点で相違する。　
　
（相違点１）　
　本願発明の放送システムが、送信側で複数の番組を多重して放送し、受信側で前記送信側から送られた多重放送信号を受信してこの放送信号に多重されている複数の番組の中から所望の番組を選択して再生出力する多重放送システムであるのに対して、引用発明の放送システムにおいては多重放送システムであるか否かが明らかでない点。　
　
（相違点２）　
　本願発明は、送信側は、前記番組について、当該番組と所定の関係性を有する他の番組との対応関係を表しかつこの他の番組をアイコンにより表したリンク情報を発生する手段を備え、受信側は、当該選択した番組に対応するリンク情報を前記多重放送信号から抽出し、この抽出したリンク情報のアイコンを前記表示位置の指定情報に従いモニタ画面上に表示する手段とを備えているのに対して、引用発明は、送信側がアイコンを発生し送信するものではなく、かつ、受信側において、放送信号からアイコンで表したリンク情報を抽出するものではない点。　
　
（相違点３）　
　本願発明は、送信側は、前記アイコンのモニタ画面上における表示位置を指定する情報を発生する手段と、前記表示位置を指定する情報を多重放送信号に多重して送信する手段とを備え、受信側は、アイコンの表示位置を指定する情報を前記多重放送信号から抽出し、この抽出したリンク情報のアイコンを前記表示位置の指定情報に従いモニタ画面上に表示する手段とを備えているのに対して、引用発明の番組の表示位置を指定する情報が、アイコンの表示位置を指定する情報を含むものであるか否かが明らかでない点。　
　
（４）当審における判断　
　
（相違点１について）　
　放送システムにおいて、複数の番組を送る際に、送信側で複数の番組を多重して多重放送信号として放送し、受信側で送信側から送られた多重放送信号を受信してこの放送信号に多重されている複数の番組の中から所望の番組を選択して再生出力するようにすることは、例えば、上記引用例２に記載されているように本願出願前周知の技術である。　
　したがって、上記周知技術を用いて、複数の番組を送る引用発明の放送システムを、送信側で複数の番組を多重して放送し、受信側で前記送信側から送られた多重放送信号を受信してこの放送信号に多重されている複数の番組の中から所望の番組を選択して再生出力する多重放送システムとすることは、当業者が容易に想到し得るものである。　
　
（相違点２について）　
　引用例１の１２頁左欄１８行〜２２行「（１）ダイレクトリンク
　画面上にいつでも呼び出し可能な特定のアイコンに、あらかじめ固定の番組をリンクすることにより、冗長な手続き抜きで直接番組にアクセスする。放送局側でこのリンクを設定する。」、１４頁表３の選択用データの「ダイレクトアイコンの形状のビットマップ、リンク先番組番号」、及び１６頁１行〜４行「（３）ダイレクトアイコン　
　ダイレクトリンク機能用のアイコンのデザインとリンク先の番組番号を放送局側で設定し、記述する。」を勘案すると、引用例１には、画面上にいつでも呼び出し可能であってあらかじめ固定の番組がリンクされた特定のアイコンであるダイレクトアイコンを、リンク先番組番号と併せて送信側で発生し送信することが記載されていると認められる。　
　そして、前記ダイレクトアイコンと引用発明のリンク情報のアイコンは、リンク先の番組を小さな絵や記号で表現し画面上に表示し、利用者は画面上のアイコンを操作することによりリンク先の番組を表示するものである点では同様のものである。　
　したがって、引用発明において、リンク情報のアイコンを、引用例１に記載されたダイレクトアイコンと同様に、送信側で発生して送信し、受信側で受信して表示に利用するようにすること、すなわち、送信側は、前記番組について、当該番組と所定の関係性を有する他の番組との対応関係を表しかつこの他の番組をアイコンにより表したリンク情報を発生する手段を備え、受信側は、当該選択した番組に対応するリンク情報を前記多重放送信号から抽出し、この抽出したリンク情報のアイコンを前記表示位置の指定情報に従いモニタ画面上に表示する手段とを備えるようにすることは、当業者が容易に想到し得るものである。　
　
（相違点３について）　
　引用例１の図１には、受信側のモニタ画面上に、番組とアイコンが所定のレイアウトで表示されることが記載されている。　
　又、引用発明の上記レイアウトは、送信側で生成されて受信側へ送信される情報であってモニタ画面上における番組の表示位置を指定する情報により規定されるものである。　
　そして、引用発明の表示位置を指示する情報と本願発明の表示位置を指示する情報は、モニタ画面上における表示位置を指定する情報である点では一致している。　
　したがって、引用発明において、引用例１の図１に記載されているように受信側のモニタ画面上において番組とアイコンを所定のレイアウトで表示するために、モニタ画面上の番組の表示位置とアイコンの表示位置の両者を合わせて、モニタ画面上における表示位置を指定する情報とし、送信側で発生して送信し、受信側で受信して表示に利用するようにすること、すなわち、送信側は、前記アイコンのモニタ画面上における表示位置を指定する情報を発生する手段と、前記表示位置を指定する情報を多重放送信号に多重して送信する手段とを備え、受信側は、アイコンの表示位置を指定する情報を前記多重放送信号から抽出し、この抽出したリンク情報のアイコンを前記表示位置の指定情報に従いモニタ画面上に表示する手段とを備えるようにすることは、当業者が容易に想到し得るものである。　
　
（５）むすび　
　
　以上のとおり、本願発明は、引用例に記載された発明に基づき、当業者が容易に発明をすることができたものであるので、特許法第２９条第２項の規定により特許を受けることができない。　
　
　よって、結論のとおり審決する。